(57)【要約】  【課題】冷蔵室のドア開閉が増加する夏場でも、製氷室と冷蔵室の能力を確保でき、さらに野菜室の湿度に保って食品の保鮮性を向上する冷蔵庫を提供する。  【解決手段】以上のように、本発明にかかる冷蔵庫は、第１の冷却器２６で冷蔵室１８と野菜室２２を冷却し、第２の冷却器３０で冷蔵室１８と野菜室２２以外の製氷室２０、第１の冷凍室１９、第２の冷凍室２１を冷却し、野菜室２２の上部、下部には、製氷室２０、第１の冷凍室１９、第２の冷凍室２１と冷凍系の貯蔵室が位置し、さらに野菜室２２の背面に冷凍室用ダクト２７が位置しているため、夏場冷蔵室１８の扉開閉が増えても冷蔵室１８内の温度上昇を抑えることができると同時に、製氷室２０を冷却する第２の冷却器３０は影響を受けず製氷室２０の能力を確保することができる。また、野菜室２２は間接的に冷やされているので、野菜室２２内の湿度の低下を抑え野菜の保鮮性を向上させることが可能となる。【選択図】図２
2006002995.tif 000002
【特許請求の範囲】
【請求項１】
本体の最上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、本体の最下部に設けられた第２の冷凍室と、前記製氷室及び前記第１の冷凍室と前記第２の冷凍室の間に設けられた野菜類を貯蔵する野菜室と、前記冷蔵室背面に設置した第１の冷却器と、第１の冷却器と冷蔵室を仕切り、第１の冷却器によって冷却された冷気を前記冷蔵室及び野菜室に導くための冷蔵系吐出風路及び前記冷蔵室と野菜室を冷却した冷気を第１の冷却器に戻すための冷蔵系戻り風路を設けた冷蔵室用ダクトと、野菜室の天井の下部に位置し、冷蔵室用ダクトから野菜室に導かれた冷気を受ける樹脂プレートと、前記第２の冷凍室の奥に設置した第２の冷却器と、第２の冷却器と第２の冷凍室を仕切り、前記第２の冷却器で冷却された冷気を野菜室の背面を経由して、前記第２の冷凍室及び前記第１の冷凍室と前記製氷室へ導く冷凍系吐出風路及び第２の冷凍室及び第１の冷凍室と製氷室とを冷却した冷気を第２の冷却器に戻すための冷凍系戻り風路を設けた冷凍室用ダクトを備え、前記第１の冷却器で冷蔵室及び野菜室を冷却し、前記第２の冷却器で第２の冷凍室及び第１の冷凍室と製氷室を冷却することを特徴とする冷蔵庫。
【請求項２】
樹脂プレートの代わりに良熱伝導性プレートを取り付けたことを特徴とする請求項１記載の冷蔵庫。
【請求項３】
野菜室内に野菜収納ケースを備え、樹脂プレートの代わりに前記野菜収納ケースの上面に蓋を設けたことを特徴とする請求項１記載の冷蔵庫。
【請求項４】
冷蔵系吐出風路に野菜室への冷気風量を調節するダンパーとダンパーを制御する温度センサーを野菜室内に設けたことを特徴とする請求項１から３のいずれか一項に記載の冷蔵庫。
【発明の詳細な説明】
【技術分野】
【０００１】
本発明は、複数の貯蔵室を有し複数の冷却器で各室を冷却する冷蔵庫に関するものである。
【背景技術】
【０００２】
近年、使い勝手の向上を図るため、様々なレイアウトの冷蔵庫が検討されている（例えば、特許文献１参照）。
【０００３】
図８は、特許文献１に記載された従来の冷蔵庫を示すものである。図８に示すように冷蔵庫本体１と、この本体の上部に設けられた冷蔵室２と、冷蔵室の下に設けられた切替室３と、冷蔵室の下で切替室に並列に設けられた製氷室４と、本体下部設けられた冷凍室５と、並列に設置された切替室及び製氷室と冷凍室の間に設けられた野菜室６と、冷気を生成する冷却器７と、冷気を各室に供給するファン装置８とを有し、冷凍室に冷気を供給するための冷凍室用送風路９と、製氷室に冷気を供給するための製氷用送風路１０と、製氷室から冷気を冷却器に戻す製氷室用帰還風路１１と、製氷室用送風路を通る冷気の一部を分流させて、切替室に送る切替室用送風路１２と、切替室から冷気を冷却器に戻すための切替室用帰還風路１３と、切替室用送風路を通る冷気の一部を分流させて、冷蔵室に送る冷蔵室用送風路１４と、冷蔵室に送られた冷気を野菜室に戻すための冷蔵室用帰還風路１５と、野菜室に送ら冷気を冷却器に戻すための野菜室用帰還風路１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に設定温度の高い冷蔵室と野菜室に囲まれた製氷室は冷却能力の確保が困難であり、更に夏場冷蔵室の扉開閉が増えた場合、多量の暖湿気が冷却器に戻ることにより冷却器に霜が付着し、冷却器の能力が大幅にダウンし、製氷スピードが落ちるという課題と最上部に位置する冷蔵室への風量が不足するという課題を有していた。また野菜室に直接冷気を循環させて冷却を行うため、野菜室内の湿度が低下し、野菜室内に貯蔵する野菜等の食品の保鮮性が劣化してしまうという課題を有していた。
【０００５】
本発明は、上記従来の課題を解決するもので、冷蔵室のドア開閉が増加する夏場においても、製氷室と冷蔵室の能力を確保し、さらに野菜室内に貯蔵する野菜等の食品の保鮮性を向上する冷蔵庫を提供することを目的とする。
【課題を解決するための手段】
【０００６】
上記従来の課題を解決するために、本体の最上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、本体の最下部に設けられた第２の冷凍室と、前記製氷室及び前記第１の冷凍室と前記第２の冷凍室の間に設けられた野菜類を貯蔵する野菜室と、前記冷蔵室背面に設置した第１の冷却器と、第１の冷却器と冷蔵室を仕切り、第１の冷却器によって冷却された冷気を前記冷蔵室及び野菜室に導くための冷蔵系吐出風路及び前記冷蔵室と野菜室を冷却した冷気を第１の冷却器に戻すための冷蔵系戻り風路を設けた冷蔵室用ダクトと、野菜室の天井の下部に位置し、冷蔵室用ダクトから野菜室に導かれた冷気を受ける樹脂プレートと、前記第２の冷凍室の奥に設置した第２の冷却器と、第２の冷却器と第２の冷凍室を仕切り、前記第２の冷却器で冷却された冷気を野菜室の背面を経由して、前記第２の冷凍室及び前記第１の冷凍室と前記製氷室へ導く冷凍系吐出風路及び第２の冷凍室及び第１の冷凍室と製氷室とを冷却した冷気を第２の冷却器に戻すための冷凍系戻り風路を設けた冷凍室用ダクトを備え、前記第１の冷却器で冷蔵室及び野菜室を冷却し、前記第２の冷却器で第２の冷凍室及び第１の冷凍室と製氷室を冷却することを特徴としたものである。
【０００７】
これによって、夏場冷蔵室のドア開閉が増え冷蔵室に暖湿気が流入しても製氷室を冷却する第２の冷却器は影響を受けず製氷室の能力を確保することができる。さらに野菜室の上下の部屋が製氷室と第１、第２の冷凍室と冷凍系の貯蔵室で、野菜室背面には冷凍室用ダクトが配置しているので、熱伝導による野菜室への冷却効果を生じさせることができ、冷蔵系吐出風路から野菜室へ導かれる冷気量を低減できるので、その分冷蔵室への冷気量を増加させることができ冷蔵室性能を高めることができる。さらに、野菜室内に導かれた冷気により樹脂プレートを介して冷却することで、野菜室の湿度の低下を抑え野菜の保鮮性を向上させることができる。
【発明の効果】
【０００８】
本発明の冷蔵庫は第１の冷却器で冷蔵室と野菜室を冷却し、第２の冷却器で冷蔵室と野菜室以外の製氷室、第１の冷凍室、第２の冷凍室を冷却するようにしたことにより、夏場冷蔵室のドア開閉が増え冷蔵室に暖湿気が流入しても製氷室を冷却する第２の冷却器は影響を受けず製氷室の能力を確保することができる。さらに熱伝導による野菜室への冷却効果により、冷蔵系吐出風路から野菜室へ導かれる冷気量を低減できるので、その分冷蔵室への冷気量を増加させることができ冷蔵室性能を高めることができる。さらに、野菜室内に導かれた冷気により樹脂プレートを冷却することで、樹脂プレート下部の野菜室を冷やしているので、野菜室の湿度の低下を抑え野菜の保鮮性を向上させることができる。
【発明を実施するための最良の形態】
【０００９】
請求項１に記載の発明は、本体の最上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、本体の最下部に設けられた第２の冷凍室と、前記製氷室及び前記第１の冷凍室と前記第２の冷凍室の間に設けられた野菜類を貯蔵する野菜室と、前記冷蔵室背面に設置した第１の冷却器と、第１の冷却器と冷蔵室を仕切り、第１の冷却器によって冷却された冷気を前記冷蔵室及び野菜室に導くための冷蔵系吐出風路及び前記冷蔵室と野菜室を冷却した冷気を第１の冷却器に戻すための冷蔵系戻り風路を設けた冷蔵室用ダクトと、野菜室の天井の下部に位置し、冷蔵室用ダクトから野菜室に導かれた冷気を受ける樹脂プレートと、前記第２の冷凍室の奥に設置した第２の冷却器と、第２の冷却器と第２の冷凍室を仕切り、前記第２の冷却器で冷却された冷気を野菜室の背面を経由して、前記第２の冷凍室及び前記第１の冷凍室と前記製氷室へ導く冷凍系吐出風路及び第２の冷凍室及び第１の冷凍室と製氷室とを冷却した冷気を第２の冷却器に戻すための冷凍系戻り風路を設けた冷凍室用ダクトを備え、前記第１の冷却器で冷蔵室及び野菜室を冷却し、前記第２の冷却器で第２の冷凍室及び第１の冷凍室と製氷室を冷却することで、夏場冷蔵室のドア開閉が増え冷蔵室に暖湿気が流入しても製氷室を冷却する第２の冷却器は影響を受けず製氷室の能力を確保することができる。さらに野菜室の上下の部屋が製氷室と第１、第２の冷凍室と冷凍系の貯蔵室で、野菜室背面には冷凍室用ダクトが配置しているので、熱伝導による野菜室への冷却効果を生じさせることができ、冷蔵系吐出風路から野菜室へ導かれる冷気量を低減できるので、その分冷蔵室への冷気量を増加させることができ冷蔵室性能を高めることができる。さらに、野菜室内に導かれた冷気により樹脂プレートを冷却することで、樹脂プレート下部の野菜室を冷やしているので、野菜室の湿度の低下を抑え野菜の保鮮性を向上させることができる。
【００１０】
請求項２に記載の発明は、請求項１記載の発明において、樹脂プレートの代わりに良熱伝導性プレートを取り付けたものであり、野菜室内は高湿となり、野菜類の保鮮性を向上させることができるとともに、野菜室の冷却性能を高めることができる。
【００１１】
請求項３に記載の発明は、請求項１記載の発明において、野菜室内に野菜収納ケースを備え、樹脂プレートの代わりに前記野菜収納ケースの上面に蓋を設けたものであり、冷蔵系吐出風路から導かれた冷気によって前記蓋及び野菜収納ケースの周囲を冷却することで、間接的に野菜収納ケース内を冷却し、野菜収納ケース内の湿度が維持でき、野菜類の保鮮性をさらに向上させることができる。
【００１２】
請求項４に記載の発明は、請求項１から３のいずれか一項に記載の発明において、冷蔵系吐出風路に野菜室への冷気風量を調節するダンパーとダンパーを制御する温度センサーを野菜室内に設けたものであり、野菜室の扉開閉や外気温などの負荷変動に応じて、野菜室への風量の適正化を図ることができ、負荷変動があっても野菜室の温度変化は少なく、野菜の保鮮性をさらに向上させることができる。
【００１３】
以下、本発明の実施の形態について、図面を参照しながら説明する。なお、この実施の形態によってこの発明が限定されるものではない。
【００１４】
（実施の形態１）
図１は本発明の実施の形態１による冷蔵庫の正面図である。図２は本発明の実施の形態１による冷蔵庫の風路図である。図３は本発明の実施の形態１における冷蔵室ダクトの風路断面図である。図４は本発明の実施の形態１における冷凍室ダクトの風路断面図である。
【００１５】
図１において１７は冷蔵庫本体であり、最上部に冷蔵室１８と、冷蔵室１８の下方に第１の冷凍室１９と、第１の冷凍室１９と並列配置された製氷及び氷の貯蔵を行う製氷室２０と、本体下部に設けられた第２の冷凍室２１と、並列配置した製氷室２２及び第１の冷凍室１９と第２の冷凍室２１の間に設けられた、野菜類を貯蔵する野菜室２２を有する。
【００１６】
図２、３、４において、２３は第１の仕切り壁であり、冷蔵室１８と製氷室２０及び第１の冷凍室１９を仕切っている。２４は第２の仕切り壁であり、製氷室２０及び第１の冷凍室１９と野菜室２２を仕切っている。２５は第３の仕切り壁で、野菜室２２と第２の冷凍室２１を仕切っている。２６は第１の冷却器であり冷蔵室１８の背面に設置されている。２７は冷蔵室用ダクトであり、第１の冷却器２６によって冷却された冷気を冷蔵室１８と野菜室２２に導くための冷蔵系吐出風路２７ａと冷蔵室１８と野菜室２２を冷却した冷気を第１の冷却器２６に戻すための冷蔵系戻り風路２７ｂを有しており、第１の冷却器２６の前に設置される。２８は冷蔵室用冷却ファンであり第１の冷却器２６で発生した冷気を循環させる。２９は樹脂プレートであり、冷蔵室用冷却ファン２８によって、野菜室２２に導かれた冷気を受け、冷蔵系戻り風路２７ｂに導いている。３０は、第２の冷却器であり、第２の冷凍室２１の背面に設置されている。３１は冷凍室用ダクトであり、第２の冷却器３０で冷却された冷気を製氷室２０及び第１の冷凍室１９及び第２の冷凍室２１へ導く冷凍系吐出風路３１ａと製氷室２０及び第１の冷凍室１９及び第２の冷凍室２１を冷却した冷気を第２の冷却器２８に戻すための冷凍系戻り風路３１ｂを有しており、第２の冷却器３０の前に設置される。３２は冷凍室用冷却ファンであり、第２の冷却器３０で発生した冷気を循環させる。
【００１７】
以上のように構成された冷蔵庫について、以下その動作、作用について説明する。
【００１８】
冷蔵室１８と野菜室２２は第１の冷却器２６によって冷却される冷気を循環させることによって冷却されるが、野菜室２２の上部、下部には、製氷室２０、第１の冷凍室１９、第２の冷凍室２１と冷凍系の貯蔵室が位置し、さらに野菜室２２の背面に冷凍室用ダクト３１が位置しているため、野菜室２２は熱伝導によっても冷却されているため、野菜室２２への冷気量を少なくでき、その分、冷蔵室１８への冷気量を多くすることができるので、冷蔵室１８の性能を高めることができ、夏場冷蔵室１８の扉開閉が増えても冷蔵室１８内の温度上昇を抑えることができる。また、野菜室２２に導かれた冷気により樹脂プレート２９を冷却することで、野菜室２２を冷やしているので、野菜室２２内の湿度の低下を抑え野菜の保鮮性を向上させることができる。さらに、製氷室２０、第１の冷凍室１９、第２の冷凍室２１は第２の冷却器３０によって冷却される冷気を直接循環させているので、夏場冷蔵室１８のドア開閉が増え冷蔵室１８に暖湿気が流入しても製氷室２０を冷却する第２の冷却器３０は影響を受けず製氷室２０の能力を確保することができる。
【００１９】
（実施の形態２）
図１は本発明の実施の形態２による冷蔵庫の正面図である。図２は本発明の実施の形態２による冷蔵庫の風路図である。図５は本発明の実施の形態２における冷蔵室ダクトの風路断面図である。
【００２０】
図１の説明は実施の形態１と同様であるため省略する。
【００２１】
図２、図５において、第１の仕切り壁２３、第２の仕切り壁２４、第３の仕切り壁２５、第１の冷却器２６、冷蔵室用ダクト２７、冷蔵系吐出風路２７ａ、冷蔵系戻り風路２７ｂ、冷蔵室用冷却ファン２８、第２の冷却器３０、冷凍室用ダクト３１、冷凍系吐出風路３１ａ、冷凍系戻り風路３１ｂ、冷凍室用冷却ファン３２は実施の形態１と同様であるため詳細な説明は省略する。３３は良熱伝導性を有するアルミプレートであり、冷蔵室用冷却ファン２８によって、野菜室２２に導かれた冷気を受け、冷蔵室用戻り風路２７ｂに導いている。
【００２２】
以上のように構成された冷蔵庫について、以下その動作、作用について説明する。
【００２３】
冷蔵室１８と野菜室２２は第１の冷却器２６によって冷却される冷気を循環させることによって冷却されるが、野菜室２２の上部、下部には、製氷室２０、第１の冷凍室１９、第２の冷凍室２１と冷凍系の貯蔵室が位置し、さらに野菜室２２の背面に冷凍室用ダクト３１が位置しているため、野菜室２２は熱伝導によっても冷却されているため、野菜室２２への冷気量を少なくでき、その分、冷蔵室１８への冷気量を多くすることができるので、冷蔵室１８の性能を高めることができ、夏場冷蔵室１８の扉開閉が増えても冷蔵室１８内の温度上昇を抑えることができる。また、野菜室２２に導かれた冷気によりアルミプレート３２を冷却することで、野菜室２２を間接的に冷やしているので、野菜室２２内は高湿となり、野菜類の保鮮性を向上させることができる。また、良熱伝導性を有するアルミプレートを適用することで、野菜室２２の冷却能力を高めることができる。さらに、製氷室２０、第１の冷凍室１９、第２の冷凍室２１は第２の冷却器３０によって冷却される冷気を直接循環させているので、夏場冷蔵室１８のドア開閉が増え冷蔵室１８に暖湿気が流入しても製氷室２０を冷却する第２の冷却器３０は影響を受けず製氷室２０の能力を確保することができる。
【００２４】
（実施の形態３）
図１は本発明の実施の形態３による冷蔵庫の正面図である。図２は本発明の実施の形態３による冷蔵庫の風路図である。図６は本発明の実施の形態３における冷蔵室ダクトの風路断面図である。
【００２５】
図１の説明は実施の形態１と同様であるため省略する。
【００２６】
図２、図５において、第１の仕切り壁２３、第２の仕切り壁２４、第３の仕切り壁２５、第１の冷却器２６、冷蔵室用ダクト２７、冷蔵系吐出風路２７ａ、冷蔵系戻り風路２７ｂ、冷蔵室用冷却ファン２８、第２の冷却器３０、冷凍室用ダクト３１、冷凍系吐出風路３１ａ、冷凍系戻り風路３１ｂ、冷凍室用冷却ファン３２は実施の形態１と同様であるため詳細な説明は省略する。３４は野菜収納ケースであり、上部に蓋３５が備えられている。
【００２７】
以上のように構成された冷蔵庫について、以下その動作、作用について説明する。
【００２８】
冷蔵室１８と野菜室２２は第１の冷却器２６によって冷却される冷気を循環させることによって冷却されるが、野菜室２２の上部、下部には、製氷室２０、第１の冷凍室、第２の冷凍室と冷凍系の貯蔵室が位置し、さらに野菜室２２の背面に冷凍室用ダクト３１が位置しているため、野菜室２２は熱伝導によっても冷却されているため、野菜室２２への冷気量を少なくでき、その分、冷蔵室１８への冷気量を多くすることができるので、冷蔵室１８の性能を高めることができ、夏場冷蔵室１８の扉開閉が増えても冷蔵室１８内の温度上昇を抑えることができる。また、野菜室２２に導かれた冷気によって蓋３５及び野菜収納ケース３４の周囲を冷却することで、間接的に野菜収納ケース内３４を冷却し、野菜収納ケース内３４の湿度が維持でき、野菜類の保鮮性を向上させることができる。さらに、製氷室２０、第１の冷凍室１９、第２の冷凍室２１は第２の冷却器３０によって冷却される冷気を直接循環させているので、夏場冷蔵室１８のドア開閉が増え冷蔵室１８に暖湿気が流入しても製氷室２０を冷却する第２の冷却器２９は影響を受けず製氷室２０の能力を確保することができる。
【００２９】
（実施の形態４）
図１は本発明の実施の形態４による冷蔵庫の正面図である。図２は本発明の実施の形態４による冷蔵庫の風路図である。図７は本発明の実施の形態４における冷蔵室ダクトの風路断面図である。
【００３０】
図１の説明は実施の形態１と同様であるため省略する。
【００３１】
図２、図７において、第１の仕切り壁２３、第２の仕切り壁２４、第３の仕切り壁２５、第１の冷却器２６、冷蔵室用ダクト２７、冷蔵系吐出風路２７ａ、冷蔵系戻り風路２７ｂ、冷蔵室用冷却ファン２８、樹脂プレート２９、第２の冷却器３０、冷凍室用ダクト３１、冷凍系吐出風路３１ａ、冷凍系戻り風路３１ｂ、冷凍室用冷却ファン３２は実施の形態１と同様であるため詳細な説明は省略する。３６は野菜室２２への冷気風量を調節するダンパーで、冷蔵系吐出風路２７ａに設けられている。３７はダンパー３６を制御する温度センサーである。
【００３２】
以上のように構成された冷蔵庫について、以下その動作、作用について説明する。
【００３３】
冷蔵室１８と野菜室２２は第１の冷却器２５によって冷却される冷気を循環させることによって冷却されるが、野菜室２２の上部、下部には、製氷室２０、第１の冷凍室、第２の冷凍室と冷凍系の貯蔵室が位置し、さらに野菜室２２の背面に冷凍室用ダクト３１が位置しているため、野菜室２２は熱伝導によっても冷却されているため、野菜室２２への冷気量を少なくでき、その分、冷蔵室１８への冷気量を多くすることができるので、冷蔵室１８の性能を高めることができ、夏場冷蔵室１８の扉開閉が増えても冷蔵室１８内の温度上昇を抑えることができる。また、野菜室２２に導かれた冷気により樹脂プレート２９を冷却することで、野菜室２２を間接的に冷やしているので、野菜室２２内の湿度の低下を抑えられ、かつ、ダンパー３６によって野菜室２２の扉開閉や外気温などの負荷変動に応じて、野菜室２２への冷気量の適正化が図られるので、負荷変動があっても野菜室の温度変化を少なくすることができ、野菜の保鮮性を向上させることができる。さらに、製氷室２０、第１の冷凍室１９、第２の冷凍室２１は第２の冷却器２８によって冷却される冷気を直接循環させているので、夏場冷蔵室１８のドア開閉が増え冷蔵室１８に暖湿気が流入しても製氷室２０を冷却する第２の冷却器３０は影響を受けず製氷室２０の能力を確保することができる。
【産業上の利用可能性】
【００３４】
以上のように、本発明にかかる冷蔵庫は、第１の冷却器で冷蔵室と野菜室を冷却し、第２の冷却器で冷蔵室と野菜室以外の製氷室、第１の冷凍室、第２の冷凍室を冷却し、野菜室の上部、下部には、製氷室、第１の冷凍室、第２の冷凍室と冷凍系の貯蔵室が位置し、さらに野菜室の背面に冷凍室用ダクトが位置しているため、夏場冷蔵室の扉開閉が増えても冷蔵室内の温度上昇を抑えることができると同時に、製氷室を冷却する第２の冷却器は影響を受けず製氷室の能力を確保することができる。また、野菜室は間接的に冷やされているので、野菜室内の湿度の低下を抑え野菜の保鮮性を向上させることが可能となるので冷凍機器全般の冷却方法の用途にも適用できる。
【図面の簡単な説明】
【００３５】
【図１】本発明による冷蔵庫の実施の形態１、実施の形態２、実施例３、実施例４を説明する冷蔵庫正面図
【図２】本発明による冷蔵庫の実施の形態１、実施の形態２、実施例３、実施例４を説明する冷蔵庫風路正面図
【図３】本発明による冷蔵庫の実施の形態１を説明する冷蔵室ダクトの風路断面図
【図４】本発明による冷蔵庫の実施の形態１を説明する冷凍室ダクトの風路断面図
【図５】本発明による冷蔵庫の実施の形態２を説明する冷蔵室ダクトの風路断面図
【図６】本発明による冷蔵庫の実施の形態３を説明する冷蔵室ダクトの風路断面図
【図７】本発明による冷蔵庫の実施の形態４を説明する冷蔵室ダクトの風路断面図
【図８】従来の冷蔵庫の冷蔵庫風路正面図
【符号の説明】
【００３６】
１７  本体
１８  冷蔵室
１９  第１の冷凍室
２０  製氷室
２１  第２の冷凍室
２２  野菜室
２６  第１の冷却器
２７  冷蔵室用ダクト
２７ａ冷蔵系吐出風路
２７ｂ  冷蔵系戻り風路
２９  樹脂プレート
３０  第２の冷却器
３１  冷凍室用ダクト
３１ａ  冷凍系吐出風路
３１ｂ  冷凍系戻り風路
３３  アルミプレート
３４  野菜収納ケース
３５  蓋
３６  ダンパー
３７  温度センサー
【図１】
2006002995.tif 000003
【図２】
2006002995.tif 000004
【図３】
2006002995.tif 000005
【図４】
2006002995.tif 000006
【図５】
2006002995.tif 000007
【図６】
2006002995.tif 000008
【図７】
2006002995.tif 000009
【図８】
2006002995.tif 000010